(57)【特許請求の範囲】
【請求項１】
略直方体のケーシング（１１）の対向する面に吸込口（１２）と吹出口（１３）が形成されており、
吸込口（１２）から吹出口（１３）に至る流路において、当該流路に直交するケーシング縦断面内に、当該縦断面の一部分を占める熱交換器（１５）を配置することで、当該熱交換器（１５）を通過する第１流路を構成するとともに、
上記ケーシング縦断面の他の部分を通って熱交換機（１５）を迂回し、当該熱交換器（１５）の下流側においてダンパー（２０）を通して第１流路と合流する第２流路（１６）を構成し、
上記ダンパー（２０）は、上記熱交換機（１５）の一端近傍から当該熱交換機（１５）に直交する面内で摺動して通過空気の流量を可変調整するスライド板を備えることを特徴とする、ファンコイルユニット。
【請求項２】
上記第１流路および第２流路の合流箇所の下流側に、傾斜方向の異なる２枚の板材をＸ字状に配置してなるミキシングバッフル（２２、２３）がさらに設けられている、請求項１記載のファンコイルユニット。
【発明の詳細な説明】
【０００１】
【発明の属する技術分野】
本発明は、ファンコイルユニットに係り、特に、コイルを通過させた空気（熱交換により冷却または加熱された空気）と、コイルを通過させずにバイパス流路に迂回させた空気（熱交換していない空気）とを混合させて吹出し空気の温度調節を行う機構を備えたファンコイルユニットに関する。
【０００２】
【従来の技術】
上述のような吹出し空気の温度調節機構を備えたファンコイルユニットは、例えば特開昭５１−７９９４６号に開示されたものが知られている。このファンコイルユニットでは、ファンから吹き出された空気の流路が二つに分岐され、一方は熱交換器のコイルを通過し、他方はコイルを通らずにコイルの下流側へ流れ、それぞれの流路を流れた空気が互いに混合して室内へ吹き出される。コイルを通らないバイパス流路にはダンパが設けられており、この流路を通る空気の流量を、ダンパ開度を変えることで調節し、コイルを通過した空気とバイパスされた空気との混合比を調節することによって吹出し空気の温度を調整するようにされている。
【０００３】
上述のような構成を有する従来のファンコイルユニットでは、ダンパの羽根板が軸の周りに回動ないし揺動して流路を開閉する構造となってい。したがって、ダンパ全閉近くの状態において、羽根板に加わる風力とダンパシャフトの位置保持力との関係から羽根板がハンチング状態になり、機器を破損させることがあった。特に、羽根板の重量自体が羽根板をダンパ閉状態の方向へ回動させようと作用する場合、且つ風力が羽根板をダンパ開方向へ回動させようと作用する場合に、その傾向が顕著である。
【０００４】
また、コイル通過空気の流路とバイパス空気の流路とが合流するのは、ファンコイルユニットの吹出口直前であり、両空気が十分に混合する前に吹出口を通過していた。特に、最近の普及が著しい氷蓄熱による冷房運転時には、冷水温度が非常に低いのでコイル通過空気の温度も非常に低くなっており、バイパス空気との混合が不十分であると吹出し空気に低温域と高温域とが偏在し、低温域の空気が通過した吹出口の箇所で結露が生じるという問題が起こっている。
【０００５】
【発明が解決しようとする課題】
本発明は、コイル通過空気とバイパス空気とを混合させて吹出し空気の温度調節を行うファンコイルユニットにおいて、ダンパのハンチング現象の問題を解消すると共に、コイル通過空気およびバイパス空気の混合不完全の問題を解消するファンコイルユニットを提供することを目的としている。
【０００６】
【課題を解決するための手段】
本発明に係るファンコイルユニットは、熱交換器を通過する第１流路と熱交換器を迂回して該熱交換器の下流側で第１流路と合流する第２流路とを有し、上記第１流路と第２流路とは、少なくとも３０度以上の角度で交差して合流するように互いに方向付けて配置され、上記第２流路には、該流路に交差する面内で摺動して通過空気の流量を可変調整するスライド板を有するダンパーを設けたことを特徴とする。なお、第１流路と第２流路との交差する角度は、４５度以上であるのが好ましい。
【０００７】
上記第１流路と第２流路とは、互いに直交して合流するように互いに方向付けて配置されているのが好ましい。
【０００８】
また、上記第１流路および第２流路の合流箇所の下流側に、ミキシングバッフルがさらに設けられているのが好ましい。
【０００９】
【発明の実施の形態】
以下、添付図面を参照して本発明の好適な実施形態について説明する。
【００１０】
図１および図２は、本発明に係るファンコイルユニットの概略構成を、それぞれ横および上から見て示す模式図である。このファンコイルユニット１０は、天井吊り露出型の例を示している。ファンコイルユニット１０のケーシング１１は偏平な略直方体であり、その前後の面に開口されて吸込口１２および吹出口１３が形成されている。
【００１１】
吸込口１２には、フィルターユニット１７が取り付けられており、このフィルターユニット１７によって吸込み空気の塵埃が除去される。吸込口１２に隣接してファン１４が設けられている。ファン１４の吐出口の前方には熱交換器の冷温水コイル１５が設けられている。冷温水コイル１５のパイプ内には、暖房運転時には温水が、冷房運転時には冷水が通される。パイプの外周には、多数の薄板が平行に一定間隔で配列されてフィンを形成しており、ファン１４から吐出された空気がこのフィンの間を流れることでパイプ内の冷水または温水と熱交換する。
【００１２】
コイル１５は、図１にも示すように、ケーシング１１を縦断する面の全域を占めておらず、ケーシング縦断面の下方略３分の２の領域を占めている。そして、コイル１５の上方の残り略３分の１の領域は、コイルを通過せずに吹出口１３側へ空気を流すバイパス流路１６になっており、コイル１５よりもさらに下流側（前方吹出口側）へ延びている。バイパス流路１６を区画する仕切壁１８は、図１に示すように断面Ｌ字状であり、その水平な底面部分に複数のスリット状開口１９が形成されている。そして、これらスリット状開口１９の開度を調節するようにスライドダンパ２０が設けられている。スライドダンパ２０は、仕切壁１８の底面部分に対して摺動するように取り付けられている。
【００１３】
スライドダンパ２０も複数のスリット状開口２１を備えており、そのスライド位置によって仕切壁１８底面部分のスリット状開口１９とスライドダンパ２０のスリット状開口２１との重なり状態（開度）が変わって気流の通過を遮蔽したり流量を調節したりする。スライドダンパ２０が開かれると、バイパス流路１６を流れた気流がコイル１５の下流側に流出する。
【００１４】
コイル１５、仕切壁１８およびスライドダンパ２０の形状ならびにそれら相互の配置関係が上述のようにされているので、コイル通過気流とバイパス気流が合流する箇所では、相互の気流方向が直交することになる。
【００１５】
ただし、バイパス流路１６は、コイルを通過せずに吹出口１３側へ空気を流す流路であって、且つコイル１５よりも下流側（前方吹出口側）へ流れ出る流路であることが要件であり、必ずしも上述のような断面Ｌ字状の仕切壁１８によって区画形成される必要はない。例えば、バイパス気流を円弧状に曲げて案内する仕切壁やベーンを用いることもできる。また、スライドダンパ２０の設けられる位置は、必ずしもバイパス流路１６の流出側端部である必要はなく、バイパス流路の流入側端部や流路途中に設けられてもよいのは勿論である。
【００１６】
コイル通過気流とバイパス気流は、コイル１５を出たところで互いに直交して合流するので、互いに攪拌し合ってよく混合する。
【００１７】
また、コイル通過気流とバイパス気流との合流箇所の下流側には、２枚のバッフル板２２,２３からなるミキシングバッフルが構成されている。バッフル板２２,２３は、２枚の板部材を横長に立てて上下に配置し、上下それぞれの板部材が上から見て略中央で「Ｘ」字状に交差するように配置されてミキシングバッフルを構成しているので、２枚のバッフル板２２,２３に当たった気流は、さらに上下流を生じて攪拌され、確実に混合する。
【００１８】
スライドダンパ２０の開度調整の制御は、温度変化によって電気抵抗が変化する感温素子と、温度設定器に設けられた可変抵抗器とでブリッジ回路を形成し、設定温度と室温との差をブリッジ回路の平衡のずれから検出し、ダンパの駆動モータに正転逆転指令の制御電流を通じてスライドダンパ２０を開方向または閉方向へ摺動させて行うことができる。すなわち、室温が設定温度となるようにスライドダンパ２０の開度調整がなされ、コイル通過気流とバイパス気流との混合比率が自動的に制御される。
【００１９】
【発明の効果】
以上のように、ダンパはスライドダンパにされているので、ハンチング状態になることはなく、したがってハンチングによる機器の損傷のおそれもなくなる。また、コイル通過空気とバイパス空気とが、略直角に交差して合流するので、両空気は十分に混合されて低温領域や高温領域が偏在することなくなり、吹出口で結露が生じるようなこともなくなる。また、コイル通過空気とバイパス空気との合流箇所よりもさらに下流側にミキシングバッフルが構成されていることにより、両空気はさらに確実に混合される。
【図面の簡単な説明】
【図１】  本発明に係るファンコイルユニットの概略構成を、横から見て示す模式図である。
【図２】  図１のファンコイルユニットを、上から見て示す模式図である。
【符号の説明】
１０  ファンコイルユニット
１１  ケーシング
１２  吸込口
１３  吹出口
１４  ファン
１５  コイル
１６  バイパス流路
１７  フィルターユニット
１８  仕切壁
１９  仕切壁のスリット状開口
２０  スライドダンパ
２１  スライドダンパのスリット状開口
２２  バッフル板
２３  バッフル板
【図１】
0004515593.tif 000002
【図２】
0004515593.tif 000003